(57)【要約】【課題】  失敗のない自分撮りを行うことが可能なデジタルカメラを提供する。【解決手段】  所定の撮影範囲で被写体を撮影するデジタルカメラ１００は、被写体を近距離で撮影する近距離撮影モードを有し、被写体に含まれる顔を収めるべき撮影範囲内の範囲を指定するための範囲指定データを記憶するＲＯＭ１４と、近距離撮影モード時、撮像部１に含まれる撮像素子からの撮像信号に基づいて被写体に含まれる顔の輪郭を検出し、検出した輪郭が範囲指定データで指定される範囲内に収まるか否かを判定するシステム制御部９と、上記判定の結果に基づく出力を行う出力部１５とを備える。【選択図】  図１
2005217768.tif 000002
【特許請求の範囲】
【請求項１】
所定の撮影範囲で被写体を撮影するデジタルカメラであって、
前記被写体を近距離で撮影する近距離撮影モードを有し、
前記被写体に含まれる顔を収めるべき前記撮影範囲内の範囲を指定するための範囲指定データを記憶する記憶手段と、
前記近距離撮影モード時、撮像素子からの撮像信号に基づいて前記被写体に含まれる顔の輪郭を検出する輪郭検出手段と、
前記輪郭検出手段により検出された輪郭が前記範囲指定データで指定される範囲内に収まるか否かを判定する判定手段と、
前記判定手段による判定結果に基づく出力を行う出力手段とを備えるデジタルカメラ。
【請求項２】
請求項１記載のデジタルカメラであって、
前記判定手段により前記輪郭が前記範囲指定データで指定される範囲内に収まらないと判定された場合、前記範囲指定データと前記検出した輪郭とに基づいて、前記輪郭を前記範囲内に収めるために前記デジタルカメラを移動させるべき方向を決定する移動方向決定手段を備え、
前記出力手段は、前記方向を前記デジタルカメラの使用者に通知するための出力を行うものであるデジタルカメラ。
【発明の詳細な説明】
【技術分野】
【０００１】
本発明は、所定の撮影範囲で被写体を撮影するデジタルカメラに関する。
【背景技術】
【０００２】
デジタルカメラ等のカメラでは、撮影者が自分自身を撮影する、いわゆる自分撮りが可能である。デジタルカメラ、特に液晶表示装置一体型のデジタルカメラでは、自分撮りを行う際、液晶表示装置を見ながら撮影をすることができないため、撮影後に得られる画像は、顔の一部等が切れたものになってしまうことがある。
【０００３】
従来、撮影時に、指標光線を被写体に向けて投射し、被写体からの反射光を利用して撮影制御を行う撮像装置が提案されている（特許文献１参照）。この撮像装置を利用すれば、撮影者は、自分撮りを行う際に自身に投射される指標光線により、自分撮り時の自身の位置を調節することも可能である。
【０００４】
【特許文献１】特開平１０−１３６２４８号公報
【発明の開示】
【発明が解決しようとする課題】
【０００５】
しかしながら、特許文献１記載の撮像装置を利用して自分自身の位置を調節したとしても、指標光線だけでは、撮影画角までの指定が難しい。
【０００６】
本発明は、上記事情に鑑みてなされたものであり、自分撮り時における撮影ミスを起こしにくいデジタルカメラを提供することを目的とする。
【課題を解決するための手段】
【０００７】
本発明のデジタルカメラは、所定の撮影範囲で被写体を撮影するデジタルカメラであって、前記被写体を近距離で撮影する近距離撮影モードを有し、前記被写体に含まれる顔を収めるべき前記撮影範囲内の範囲を指定するための範囲指定データを記憶する記憶手段と、前記近距離撮影モード時、撮像素子からの撮像信号に基づいて前記被写体に含まれる顔の輪郭を検出する輪郭検出手段と、前記輪郭検出手段により検出された輪郭が前記範囲指定データで指定される範囲内に収まるか否かを判定する判定手段と、前記判定手段による判定結果に基づく出力を行う出力手段とを備える。
【０００８】
この構成により、被写体に含まれる顔を収めるべき撮影範囲内の範囲に、被写体に含まれる顔の輪郭が収まっているか否かを、撮影者が、出力手段からの出力により知ることが可能となる。このため、近距離撮影モードに設定して自分撮りを行う場合でも、撮影ミスを起こしにくいデジタルカメラを提供することができる。
【０００９】
又、本発明のデジタルカメラは、前記判定手段により前記輪郭が前記範囲指定データで指定される範囲内に収まらないと判定された場合、前記範囲指定データと前記検出した輪郭とに基づいて、前記輪郭を前記範囲内に収めるために前記デジタルカメラを移動させるべき方向を決定する移動方向決定手段を備え、前記出力手段が、前記方向を前記デジタルカメラの使用者に通知するための出力を行うものである。
【００１０】
この構成により、被写体に含まれる顔の輪郭が範囲指定データで指定される範囲に収まるようなデジタルカメラの移動方向を、撮影者に通知することができる。
【発明の効果】
【００１１】
本発明によれば、自分撮り時における撮影ミスを起こしにくいデジタルカメラを提供することができる。
【発明を実施するための最良の形態】
【００１２】
図１は、本発明の実施形態を説明するためのデジタルカメラの概略構成を示す図である。
デジタルカメラ１００は、撮像部１と、アナログ信号処理部２と、Ａ／Ｄ変換部３と、駆動部４と、デジタル信号処理部６と、圧縮／伸張処理部７と、表示部８と、システム制御部９と、内部メモリ１０と、メディアインタフェース１１と、記録メディア１２と、操作部１３と、ＲＯＭ１４と、出力部１５とを備える。デジタル信号処理部６、圧縮／伸張処理部７、表示部８、システム制御部９、内部メモリ１０、メディアインタフェース１１、ＲＯＭ１４、及び出力部１５は、システムバス２０に接続されている。
【００１３】
撮像部１は、撮影レンズ等の光学系及びＣＣＤイメージセンサ等の撮像素子によって被写体の撮影を行うものであり、アナログの撮像信号を出力する。アナログ信号処理部２は、撮像部１で得られた撮像信号に所定のアナログ信号処理を施す。Ａ／Ｄ変換部３は、アナログ信号処理部２で処理後のアナログの撮像信号をデジタルの撮像信号に変換する。Ａ／Ｄ変換部３の出力はデジタル信号処理部６に送られる。
【００１４】
撮影に際しては、駆動部４を介して光学系の制御が行われる。撮像素子として利用されるＣＣＤイメージセンサ等の固体撮像素子は、半導体基板表面に行方向とこれに直交する列方向に配設された複数の光電変換領域を有し、入射光に対応して発生され、蓄積された信号電荷に基づいたアナログ電圧信号を出力する。固体撮像素子は、操作部１３の一部であるレリーズボタン（図示せず）の操作によるレリーズスイッチ（図示せず）オンを契機として、所定のタイミングで、駆動部４に含まれるタイミングジェネレータ（図１ではＴＧと記載）からの駆動信号によって駆動される。駆動部４は、システム制御部９によって所定の駆動信号を出力する。
【００１５】
デジタル信号処理部６は、Ａ／Ｄ変換部３からのデジタルの撮像信号に対して、操作部１３によって設定された動作モードに応じたデジタル信号処理を行う。デジタル信号処理部６が行う処理には、黒レベル補正処理（ＯＢ処理）、リニアマトリクス補正処理、ホワイトバランス調整処理、ガンマ補正処理、画像合成処理、同時化処理、及びＹ／Ｃ変換処理等が含まれる。デジタル信号処理部６は、例えばＤＳＰで構成される。
【００１６】
圧縮／伸張処理部７は、デジタル信号処理部６で得られた画像データ（ＹＣデータ）に対して圧縮処理を施すとともに、記録メディア１２から得られた圧縮画像データに対して伸張処理を施す。
【００１７】
表示部８は、例えばＬＣＤ表示装置を含んで構成され、撮影されてデジタル信号処理を経た画像データに基づく画像を表示する。記録メディア１２に記録された圧縮画像データを伸張処理して得た画像データに基づく画像の表示も行う。また、撮影時のスルー画像、デジタルカメラ１００の各種状態、操作に関する情報の表示等も可能である。
【００１８】
内部メモリ１０は、例えばＤＲＡＭであり、デジタル信号処理部６やシステム制御部９のワークメモリとして利用される他、記録メディアに１２に記録される画像データを一時的に記憶するバッファメモリや表示部８への表示画像データのバッファメモリとしても利用される。メディアインタフェース１１は、メモリカード等の記録メディア１２との間のデータの入出力を行うものである。
【００１９】
操作部１３は、デジタルカメラ１００使用時の各種操作を行うものである。
【００２０】
ＲＯＭ１４は、デジタルカメラ１００で撮影可能な所定の撮影範囲内の、撮影する被写体に含まれる顔を収めるべき範囲を指定するための範囲指定データを記憶する。図２は、範囲指定データに基づく範囲を示す図である。
図２に示すように、ＲＯＭ１４には、撮影範囲２１に対し、撮影する被写体に含まれる顔を収めるべき範囲２２の大きさや数等を指定するための範囲指定データが（ａ）〜（ｄ）のように複数記憶されている。この範囲指定データは、範囲２２が撮影範囲２１のどこからどこまでの部分なのかを示したデータであっても良いし、撮影範囲２１の範囲２２を除く範囲が、撮影範囲２１のどこからどこまでの部分なのかを示したデータであっても良い。いずれにせよ、範囲指定データにより、撮影範囲２１内において被写体の顔を収めるべき範囲２２が指定される。
【００２１】
システム制御部９は、所定のプログラムによって動作するプロセッサを主体に構成され、撮影動作を含むデジタルカメラ１００全体の統括制御を行う。システム制御部９は、撮像部１に含まれる撮像素子から得られたデジタルの撮像信号の高周波成分に基づいて合焦位置を決定し、決定した合焦位置に基づいて撮影レンズを駆動制御する自動焦点調節（ＡＦ）機能を有する。
【００２２】
デジタルカメラ１００は、被写体を近距離（例えば１ｍ以内）で撮影する近距離撮影モードを有しており、システム制御部９は、この近距離撮影モード時、撮像部１に含まれる撮像素子から得られるデジタルの撮像信号に基づいて、被写体に含まれる顔の輪郭を検出し、上記検出した輪郭が、ＲＯＭ１４に記憶されている範囲指定データで指定される範囲２２内に収まるか否かを判定する。尚、顔の輪郭の検出に関する技術に関しては、公知の種々の手段を用いることができる。
【００２３】
システム制御部９は、上記検出した輪郭が領域２２内に収まらないと判定した場合、ＲＯＭ１４に記憶されている範囲指定データと、上記検出した輪郭とに基づいて、この輪郭を範囲２２内に収めるためにデジタルカメラ１００を移動させるべき方向を決定する。図３（ａ）は、デジタルカメラ１００の外観背面を示す図、（ｂ）はデジタルカメラ１００の外観前面を示す図である。図３（ａ）には、近距離撮影モード時に、表示部８にスルー画像が表示されている状態を示した。
システム制御部９は、例えば、図２（ａ）に示す範囲２２を図３（ａ）に示すように４分割し、４つの分割領域３１〜３４のうち、顔の輪郭ａが存在していない分割領域３３を認識し、認識した分割領域３３を基に、デジタルカメラ１００を移動させるべき方向を決定する。図３において符号３０はレリーズボタンである。図３では、説明のために表示部８に領域２２を示す画像が表示されているが、実際には、この表示は行わない。
【００２４】
出力部１５は、システム制御部９による判定結果に基づく出力を行う。出力部１５は、システム制御部９で決定されたデジタルカメラ１００を移動させるべき方向を、デジタルカメラ１００の使用者に通知するための出力も行う。出力部１５は、例えば、図３（ｂ）に示すように、デジタルカメラ１００の撮影レンズ３５が配置される面に配置される４つのＬＥＤ３６〜３９で構成される。ＬＥＤ３６〜３９は、それぞれ図３（ａ）に示す４つの分割領域３１〜３４に対応している。尚、出力部１５は、上記出力を音声により行うスピーカで構成しても良い。
【００２５】
以下、デジタルカメラ１００を用いて、使用者が自分撮りを行う場合のデジタルカメラ１００の動作を説明する。
図４は、本発明の実施形態を説明するためのデジタルカメラの動作フローを示す図である。
使用者が近距離撮影モードを設定すると、表示部８には図２に示すような範囲指定データに基づく範囲を示す画像が表示される。使用者は、表示部８に表示された画像の中から１つ（ここでは図２（ａ）の範囲２２）を選択し、デジタルカメラ１００を自分の前方に持ってきて、画角を決定する動作（デジタルカメラ１００を少しずつ移動させる動作）を開始する。このとき、表示部８にはスルー画像が表示されるが、表示部８の表示はＯＦＦにしておいても良い。
【００２６】
使用者により画角の決定動作が行われているとき、デジタルカメラ１００は、撮像部１から得られるデジタルの撮像信号に基づいて、被写体に含まれる顔の輪郭を検出する（Ｓ４０１）。そして、デジタルカメラ１００は、上記検出した輪郭と、使用者により選択されたＲＯＭ１４に記憶されている範囲指定データで指定される領域２２とを比較し、輪郭が範囲２２内に収まっているか否かを判定する（Ｓ４０２）。
【００２７】
図５（ａ）に示すように、被写体に含まれる使用者の顔の輪郭ａが撮影範囲２１と範囲２２との境界にかかっている場合、デジタルカメラ１００は、使用者の顔の輪郭が範囲２２内に収まっていないと判定する。一方、図５（ｂ）に示すように、被写体に含まれる使用者の顔の輪郭ａが、撮影範囲２１と範囲２２との境界にかかっておらず、範囲２２内に入っている場合、デジタルカメラ１００は、使用者の顔の輪郭が範囲２２内に収まっていると判定する。
【００２８】
デジタルカメラ１００は、使用者の顔の輪郭が範囲２２内に収まっていると判定した場合（Ｓ４０２：ＹＥＳ）、その旨を通知するための出力を出力部１５により行う。例えば、スピーカから「撮影ＯＫです」といった音声を出力したり、ＬＥＤ３６〜３９を全て点灯させたりする（Ｓ４０３）。この出力により、使用者は、範囲２２内に自身の顔がきちんと収まったことを認識することができる。使用者により撮影操作が行われると、デジタルカメラ１００は、撮影範囲２１内の被写体を撮影し、撮影により得られた画像データを記録メディア１２に記録する（Ｓ４０４）。
【００２９】
デジタルカメラ１００は、使用者の顔の輪郭が範囲２２内に収まっていないと判定した場合（Ｓ４０２：ＮＯ）、図２（ａ）に示す範囲２２を図３（ａ）に示すように４分割し、４つの分割領域３１〜３４のうち、顔の輪郭が存在しない分割領域３３を認識し、分割領域３３に輪郭が存在するようにデジタルカメラ１００を移動させるべき方向を決定する（Ｓ４０５）。分割領域３３に輪郭が存在するようにするためには、自分撮りを行っている使用者から見て左にデジタルカメラ１００を移動させなくてはならないため、デジタルカメラ１００は、上記方向を左とする。
【００３０】
上記方向が左に決定されると、デジタルカメラ１００は、図３（ｂ）に示すように、撮影者から見て左方向に対応するＬＥＤ３８を点灯させる（Ｓ４０６）。これにより、撮影者は、デジタルカメラ１００を移動させる方向を自分で判断することなく、このＬＥＤの点灯にしたがった方向にデジタルカメラ１００を動かせばよいことになる。デジタルカメラ１００は、Ｓ４０１に戻り、使用者の顔の輪郭が範囲２２内に収まっていると判定するまで、上記方向の決定及びＬＥＤの点灯を繰り返す。
【００３１】
以上のようにデジタルカメラ１００によれば、使用者が、近距離撮影モード時に自分撮りを行う場合、表示部８に表示されるスルー画像を確認しなくとも、ＬＥＤ３６〜３９が全て点灯するまでデジタルカメラ１００を自身の目の前で移動させ、ＬＥＤ３６〜３９が全て点灯した後に撮影を行うことで、撮影範囲２１内の所望の範囲２２に使用者自身の顔を収めた撮影を行うことができる。したがって、自分撮り時において、撮影ミスを起こしにくくすることができる。
【００３２】
又、図２の（ａ）〜（ｃ）のような範囲を指定するための範囲指定データを選択した場合には、撮影範囲２１内のどの位置に顔をもってくるかを予め決めておくことができるため、イメージ通りの撮影を簡単に行うことができる。一方、図２の（ｄ）のような範囲を指定するための範囲指定データを選択した場合には、撮影範囲２１の大部分に範囲２２が設定されているため、その範囲２２内であれば自由に顔を移動させることができ、図２の（ａ）〜（ｃ）のような範囲を指定するための範囲指定データを選択した場合よりも自由度の高い撮影が可能となる。
【００３３】
又、デジタルカメラ１００によれば、被写体に含まれる輪郭が範囲指定データで指定される範囲内に収まっていない場合には、その範囲内に輪郭が収まるようにデジタルカメラ１００を移動させるべき方向を、ＬＥＤ等により使用者に認識させることができる。このため、使用者は、デジタルカメラ１００をどの方向に動かせば良いかを考える必要がなく、スムーズな撮影が可能となる。
【００３４】
尚、上記では、近距離撮影モード時に撮像部１から得られたデジタルの撮像信号に基づいて輪郭検出を行っているが、ＡＦ制御が行われ、被写体に含まれる顔にピントが合った状態にて輪郭検出を行う方が好ましい。この場合、レリーズボタンの半押し操作がなされ、ＡＦ制御が行われた後に、図４のフローが開始されるようにする。このように、ピントが合った状態で撮像部１から得られるデジタルの撮像信号を基に輪郭検出を行うことで、輪郭検出をより精度良く行うことができる。
【００３５】
又、上記では、使用者の顔の輪郭が範囲２２内に収まっていると判定した場合に、その旨を通知するための出力を出力部１５により行っているが、これとは逆に、使用者の顔の輪郭が範囲２２内に収まっていないと判定した場合に、その旨を通知するための出力を出力部１５により行うようにしても良い。例えば、出力部１５により、「顔の輪郭が指定された範囲内に収まっていません」といった音声出力を行えば良い。
【図面の簡単な説明】
【００３６】
【図１】本発明の実施形態を説明するためのデジタルカメラの概略構成を示す図
【図２】本発明の実施形態を説明するためのデジタルカメラのＲＯＭに記憶される範囲指定データに基づく画像を示す図
【図３】本発明の実施形態を説明するためのデジタルカメラの概略外観を示す図
【図４】本発明の実施形態を説明するためのデジタルカメラの動作フローを示す図
【図５】顔を収めるべき範囲内に顔が収まっているか否かの判定方法を説明するための図
【符号の説明】
【００３７】
１００  デジタルカメラ
１  撮像部
９  システム制御部
１４  ＲＯＭ
１５  出力部
【図１】
2005217768.tif 000003
【図２】
2005217768.tif 000004
【図３】
2005217768.tif 000005
【図４】
2005217768.tif 000006
【図５】
2005217768.tif 000007